(57)【要約】【課題】    製造コストの低減を図りつつ、電気光学装置および投射光学装置を一体化できるプロジェクタを提供する。【解決手段】プロジェクタを構成する光学装置本体４４０Ａは、３つの光変調装置４４１およびクロスダイクロイックプリズム４４４を有する電気光学装置４４０Ｂと、投射レンズ４４５と、第１台座４４６１および第２台座４４６２とを含んで構成される。第１台座４４６１および第２台座４４６２は、クロスダイクロイックプリズム４４４における３つの光束入射側端面と交差し互いに対向する２つの端面にそれぞれ取り付けられ別体で構成される。投射レンズ４４５を構成する鏡筒４４５１の基端部分には、外側に拡がるフランジ部４４５２が形成されている。電気光学装置４４０Ｂおよび投射レンズ４４５は、フランジ部４４５２に対して第１台座４４６１および第２台座４４６２が接続することで一体化する。【選択図】 図３
2006106410.tif 000002
【特許請求の範囲】
【請求項１】
光源装置と、前記光源装置から射出された光束を画像情報に応じて変調する複数の光変調装置、および前記複数の光変調装置が取り付けられる複数の光束入射側端面を有し前記複数の光変調装置にて変調された各光束を合成して光学像を形成する色合成光学装置を有する電気光学装置と、少なくとも１つのレンズおよび前記レンズを内部に収納保持する鏡筒を有し前記電気光学装置にて形成された光学像を拡大投射する投射光学装置とを備えたプロジェクタであって、
前記色合成光学装置における前記複数の光束入射側端面と交差し互いに対向する２つの端面にそれぞれ取り付けられ別体で構成される第１台座および第２台座を備え、
前記鏡筒の投射方向基端部分には、外側に拡がるフランジ部が形成され、
前記電気光学装置および前記投射光学装置は、前記フランジ部に対して前記第１台座および前記第２台座が接続することで一体化することを特徴とするプロジェクタ。
【請求項２】
請求項１に記載のプロジェクタにおいて、
前記第１台座および前記第２台座は、前記色合成光学装置における前記２つの端面に沿って延出し前記２つの端面にそれぞれ取り付けられる第１支持面と、前記第１支持面に対して略直交して延出し前記フランジ部の光束入射側端面にそれぞれ接続する第２支持面とを有していることを特徴とするプロジェクタ。
【請求項３】
請求項１または請求項２に記載のプロジェクタにおいて、
前記第１台座および前記第２台座のうち少なくともいずれか一方の台座は、前記フランジ部の光束入射側端面に対してねじにて固定され、
前記第１台座および前記第２台座のうちいずれか一方の台座、または、前記フランジ部には、前記ねじを挿通可能とし前記ねじを挿通した状態で前記台座および前記フランジ部の相対位置を変更可能とするトラック孔が形成されていることを特徴とするプロジェクタ。
【請求項４】
請求項１から請求項３のいずれかに記載のプロジェクタにおいて、
前記第１台座および前記第２台座のうち少なくともいずれか一方の台座には、前記色合成光学装置と当接する支持面に面外方向に膨出する膨出部が形成されていることを特徴とするプロジェクタ。
【請求項５】
請求項１から請求項４のいずれかに記載のプロジェクタにおいて、
前記第１台座および前記第２台座のうち少なくともいずれか一方の台座は、前記色合成光学装置における前記２つの端面のうち少なくともいずれか一方の端面に接着剤により接着固定され、前記色合成光学装置と当接する支持面に接着剤溜り用の凹部を有していることを特徴とするプロジェクタ。
【請求項６】
請求項１から請求項５のいずれかに記載のプロジェクタにおいて、
前記第１台座および前記第２台座のうちいずれか一方の台座は、前記フランジ部の光束入射側端面に沿って延出し前記光束入射側端面に接続する接続部を有し、
前記第１台座および前記第２台座のうちいずれか他方の台座は、前記接続部を介して前記フランジ部の光束入射側端面に接続することを特徴とするプロジェクタ。
【請求項７】
請求項１から請求項６のいずれかに記載のプロジェクタにおいて、
前記第１台座および前記第２台座のうちいずれか一方の台座は、前記フランジ部に一体的に形成されていることを特徴とするプロジェクタ。
【請求項８】
請求項１から請求項５のいずれかに記載のプロジェクタにおいて、
前記第１台座および前記第２台座は、同一形状を有していることを特徴とするプロジェクタ。
【請求項９】
請求項１から請求項８のいずれかに記載のプロジェクタにおいて、
前記光源装置、前記電気光学装置、および前記投射光学装置を収納する箱状の外装筐体と、前記外装筐体の箱状側面のいずれかに露出して設けられ前記投射光学装置にて拡大投射された光学像を投影する透過型スクリーンとを備えていることを特徴とするプロジェクタ。
【発明の詳細な説明】
【技術分野】
【０００１】
本発明は、プロジェクタに関する。
【背景技術】
【０００２】
従来、光源ランプから射出された光束を、ダイクロイックミラー等の色分離光学系で三色の色光Ｒ，Ｇ，Ｂに分離し、分離された光束を３枚の光変調装置で色光毎に画像情報に応じて変調して、色合成光学装置としてのクロスダイクロイックプリズムにて各光変調装置で変調された光束を合成して光学像を形成し、この光学像を投射レンズ等の投射光学装置で拡大投射する、いわゆる三板式のプロジェクタが知られている。
このような三板式のプロジェクタにおいて、構造の簡素化および組立工程の簡単化のため、３枚の光変調装置、クロスダイクロイックプリズム、および投射レンズを一体化するプロジェクタが提案されている（例えば、特許文献１参照）。
特許文献１に記載のプロジェクタでは、プリズムホルダおよびレンズホルダを用いて、３枚の光変調装置、クロスダイクロイックプリズム、および投射レンズを一体化している。
ここで、プリズムホルダは、ベースと、該ベースから垂直に突出する一対の取付部とが一体的に構成されている。そして、一対の取付部には、クロスダイクロイックプリズムの上下面が接着固定される。また、ベースの上方側端縁および左右方向両端縁は、光束射出側に突出するように形成されている。
また、レンズホルダは、平面視略矩形状の板体から構成され、光束射出側端面には、上方側端縁から下方側に向けてガイド溝が形成されている。
【０００３】
プリズムホルダおよびレンズホルダを一体化する際には、プリズムホルダにおけるベースの左右方向両端縁から光束射出側に突出した各支柱をガイド溝に挿入する。各支柱をガイド溝に挿入することで、プリズムホルダにおけるベースの上方側端縁から光束射出側に突出した部分とレンズホルダの上方側端面とが当接し、各支柱の下方側端部に形成された突起とレンズホルダにおけるガイド溝の底部とが当接する。そして、ベースの上方側端縁から光束射出側に突出した部分とレンズホルダの上方側端面、および各突起とガイド溝の底部とを、ねじにより固定する。
【０００４】
【特許文献１】特開２００１−４２４２５号公報
【発明の開示】
【発明が解決しようとする課題】
【０００５】
特許文献１に記載のプロジェクタでは、ベースに対して一対の取付部が一体的に構成されている。このため、一対の取付部にクロスダイクロイックプリズムの上下面を接着固定するには、クロスダイクロイックプリズムの寸法公差に応じて一対の取付部を高精度に形成する必要がある。また、プロジェクタの機種等に応じて異なる寸法を有する種々のクロスダイクロイックプリズムに対応させるためには、一対の取付部の形成位置の異なる種々のプリズムホルダが必要となる。
以上のことにより、プリズムホルダの製造コストが高騰し、ひいては、プロジェクタの製造コストが高騰してしまう、という問題がある。
【０００６】
本発明の目的は、製造コストの低減を図りつつ、電気光学装置および投射光学装置を一体化できるプロジェクタを提供することにある。
【課題を解決するための手段】
【０００７】
本発明のプロジェクタは、光源装置と、前記光源装置から射出された光束を画像情報に応じて変調する複数の光変調装置、および前記複数の光変調装置が取り付けられる複数の光束入射側端面を有し前記複数の光変調装置にて変調された各光束を合成して光学像を形成する色合成光学装置を有する電気光学装置と、少なくとも１つのレンズおよび前記レンズを内部に収納保持する鏡筒を有し前記電気光学装置にて形成された光学像を拡大投射する投射光学装置とを備えたプロジェクタであって、前記色合成光学装置における前記複数の光束入射側端面と交差し互いに対向する２つの端面にそれぞれ取り付けられ別体で構成される第１台座および第２台座を備え、前記鏡筒の投射方向基端部分には、外側に拡がるフランジ部が形成され、前記電気光学装置および前記投射光学装置は、前記フランジ部に対して前記第１台座および前記第２台座が接続することで一体化することを特徴とする。
【０００８】
本発明によれば、第１台座および第２台座が別体で構成されているので、電気光学装置および投射光学装置の一体化を、例えば、以下の方法で実施できる。
すなわち、色合成光学装置の姿勢状態を調整した後、例えば第２台座を色合成光学装置における複数の光束入射側端面と交差する端面のうちいずれか一方の端面に固定する。この後、第２台座を投射光学装置のフランジ部に接続する。最後に、第１台座を色合成光学装置における複数の光束入射側端面と交差する端面のうちいずれか他方の端面に固定するとともに、投射光学装置のフランジ部に接続する。
以上のように、第１台座および第２台座を別体で構成することで第１台座および第２台座の相対位置の変更が適宜可能な構成となり、従来のように色合成光学装置の寸法公差に応じて一対の取付部を高精度に形成する構成と比較して、第１台座および第２台座にそれほど高い精度が要求されない。また、プロジェクタの機種等に応じて異なる寸法を有する種々の色合成光学装置に対応でき、従来のように、異なる寸法を有する種々の色合成光学装置に対応させて種々のプリズムホルダを製造する必要がない。したがって、第１台座および第２台座の製造コストを低減でき、ひいては、プロジェクタの製造コストの低減を図れる。
また、第１台座および第２台座にて色合成光学装置を挟持固定するため、外部から電気光学装置に加わる力を第１台座、第２台座、およびフランジ部にて抑制できる。したがって、色合成光学装置の複数の光束入射側端面に取り付けられる複数の光変調装置の相互の位置ずれを抑制でき、画素ずれのない良好な光学像を拡大投射できる。
【０００９】
本発明のプロジェクタでは、前記第１台座および前記第２台座は、前記色合成光学装置における前記２つの端面に沿って延出し前記２つの端面にそれぞれ取り付けられる第１支持面と、前記第１支持面に対して略直交して延出し前記フランジ部の光束入射側端面にそれぞれ接続する第２支持面とを有していることが好ましい。
ところで、特許文献１に記載のプロジェクタでは、レンズホルダにガイド溝を形成し、該ガイド溝にプリズムホルダの各支柱を挿入することで、３枚の光変調装置、クロスダイクロイックプリズム、および投射レンズの位置決めを実施している。このため、プリズムホルダのみならず、レンズホルダも高精度に形成する必要がある。
本発明では、第１台座および第２台座は、互いに略直交する第１支持面および第２支持面をそれぞれ有し、各第２支持面がフランジ部の光束入射側端面にそれぞれ接続する。すなわち、第１台座および第２台座と、フランジ部との接続方向が色合成光学装置から射出され投射光学装置に向かう光束の光軸方向に設定される。このことにより、従来のようにレンズホルダにガイド溝等を高精度に形成する構成と比較して、少なくとも第１台座および第２台座の各第２支持面とフランジ部の光束入射側端面を精度良く形成しておけば、第１台座および第２台座とフランジ部とを高精度に位置決めすることが可能となり、すなわち、電気光学装置および投射光学装置を高精度に位置決めすることが可能となる。このため、第１台座および第２台座のみならず、フランジ部の製造コストを低減でき、プロジェクタの製造コストをさらに低減できる。
また、例えば、第１台座、第２台座、およびフランジ部を成形加工にて製造する場合には、従来のように前記光軸方向と直交する上下方向で接続する各接続面を精度良く成形する場合に比較して、各第２支持面およびフランジ部の光束入射側端面の各接続面を高精度に成形することが容易となり、第１台座、第２台座、およびフランジ部の製造コストの低減をさらに一層図れ、プロジェクタの製造コストをさらに一層低減できる。
【００１０】
本発明のプロジェクタでは、前記第１台座および前記第２台座のうち少なくともいずれか一方の台座は、前記フランジ部の光束入射側端面に対してねじにて固定され、前記第１台座および前記第２台座のうちいずれか一方の台座、または、前記フランジ部には、前記ねじを挿通可能とし前記ねじを挿通した状態で前記台座および前記フランジ部の相対位置を変更可能とするトラック孔が形成されていることが好ましい。
本発明によれば、第１台座および第２台座のうちいずれか一方の台座、または、フランジ部にはトラック孔が形成されているので、前記台座とフランジ部とをねじにて取り付けた状態で、フランジ部に対して前記台座を移動させることができる。このため、前記台座とフランジ部とをねじにて取り付けた状態で前記台座を移動させて該台座を色合成光学装置に当接して固定した後、ねじを締め付けることで前記台座とフランジ部とを固定できる。したがって、電気光学装置および投射光学装置を一体化する作業を、簡単な構成で容易にかつ迅速に実施できる。
【００１１】
本発明のプロジェクタでは、前記第１台座および前記第２台座のうち少なくともいずれか一方の台座には、前記色合成光学装置と当接する支持面に面外方向に膨出する膨出部が形成されていることが好ましい。
本発明によれば、第１台座および第２台座のうち少なくともいずれか一方の台座には、支持面に膨出部が形成されているので、例えば、前記台座と色合成光学装置とを接着剤により接着固定する際には、膨出部の曲面形状と色合成光学装置の端面とで形成される隙間に接着剤を充填させることができる。このため、例えば、支持面に接着剤を塗布した状態で色合成光学装置と支持面とを当接させた場合に、接着剤が前記隙間に向かう方向に流れ、色合成光学装置を確実に固定することができる。したがって、プロジェクタの製造を良好に実施できる。
【００１２】
本発明のプロジェクタでは、前記第１台座および前記第２台座のうち少なくともいずれか一方の台座は、前記色合成光学装置における前記２つの端面のうち少なくともいずれ一方の端面に接着剤により接着固定され、前記色合成光学装置と当接する支持面に接着剤溜り用の凹部を有していることが好ましい。
本発明によれば、第１台座および第２台座のうち少なくともいずれか一方の台座には、支持面に接着剤溜り用の凹部が形成されているので、前記台座と色合成光学装置とを接着剤により接着固定する際には、凹部に接着剤を充填させることができる。このため、例えば、支持面に接着剤を塗布した状態で色合成光学装置と支持面とを当接させた場合に、接着剤が凹部に向かう方向に流れ、色合成光学装置の複数の光束入射側端面等に接着剤が流れ出ることを防止できる。したがって、不要な部分に接着剤が付着することを防止でき、プロジェクタの製造を良好に実施できる。
【００１３】
本発明のプロジェクタでは、前記第１台座および前記第２台座のうちいずれか一方の台座は、前記フランジ部の光束入射側端面に沿って延出し前記光束入射側端面に接続する接続部を有し、前記第１台座および前記第２台座のうちいずれか他方の台座は、前記接続部を介して前記フランジ部の光束入射側端面に接続することが好ましい。
本発明によれば、第１台座および第２台座のうちいずれか一方の台座が接続部を有しているので、前記台座とフランジ部との接続面積を大きくかつ、接続箇所を多くとることができる。このため、前記一方の台座による投射光学装置に対する電気光学装置の支持状態を良好に維持でき、他方の台座とともに、外部から電気光学装置に加わる力をさらに抑制できる。したがって、色合成光学装置の複数の光束入射側端面に取り付けられる複数の光変調装置の相互の位置ずれをさらに抑制でき、画素ずれのない鮮明な光学像を拡大投射できる。
【００１４】
本発明のプロジェクタでは、前記第１台座および前記第２台座のうちいずれか一方の台座は、前記フランジ部に一体的に形成されていることが好ましい。
本発明によれば、第１台座および第２台座のうちいずれか一方の台座がフランジ部に一体的に形成されているので、前記一方の台座による投射光学装置に対する電気光学装置の支持状態を良好に維持でき、他方の台座とともに外部から電気光学装置に加わる力をさらに一層抑制し、画素ずれのない鮮明な光学像を拡大投射できる。
また、前記一方の台座をフランジ部に一体的に形成することで、投射光学装置および電気光学装置を一体化する部品点数を削減できる。このため、投射光学装置および電気光学装置を一体化する組立作業を容易に実施でき、プロジェクタを製造するにあたって、製造コストをさらに低減できる。
【００１５】
本発明のプロジェクタでは、前記第１台座および前記第２台座は、同一形状を有していることが好ましい。
本発明によれば、第１台座および第２台座が同一形状を有しているので、第１台座および第２台座を共通化し第１台座および第２台座を同一の製造装置および製造方法にて製造でき、第１台座および第２台座の製造コストを低減でき、ひいては、プロジェクタの製造コストのさらなる低減化を図れる。
【００１６】
本発明のプロジェクタでは、前記光源装置、前記電気光学装置、および前記投射光学装置を収納する箱状の外装筐体と、前記外装筐体の箱状側面のいずれかに露出して設けられ前記投射光学装置にて拡大投射された光学像を投影する透過型スクリーンとを備えていることが好ましい。
本発明では、プロジェクタは、外装筐体および透過型スクリーンを備え、透過型スクリーンを観察する方向と反対側から光学像を投射するリアプロジェクタで構成されている。このようなリアプロジェクタでは、スクリーンを観察する方向から投射を行うフロントプロジェクタと比較して、内蔵されるスピーカの出力値が高い構成が一般的に採用される。このようなリアプロジェクタにおいて、上述したような電気光学装置および投射光学装置を一体化する構造を採用することで、外力（特に、スピーカ出力による振動）が電気光学装置に伝達することを効果的に抑制できる。したがって、画素ずれのない鮮明な光学像を透過型スクリーンに投影できる。
【発明を実施するための最良の形態】
【００１７】
[第１実施形態]
以下、本発明の第１実施形態を図面に基づいて説明する。
〔リアプロジェクタの主な構成〕
図１は、第１実施形態に係るリアプロジェクタの側面からの断面図である。図２は、リアプロジェクタに組み込まれる光学ユニットを模式的に示す平面図である。
図１において、１は、リアプロジェクタであり、このリアプロジェクタ１は、光学像を生成して投射する光学ユニット４と、この光学ユニット４から投射された光学像を反射する反射ミラー３と、反射ミラー３を介した光学像を投影する透過型スクリーン２と、これら光学ユニット４、反射ミラー３および透過型スクリーン２を内部に配置する外装筐体５とにより大略構成されている。なお、外装筐体５内部には、具体的な図示は省略するが、光学ユニット４、反射ミラー３および透過型スクリーン２の他、外部からの電力を光学ユニット４等に供給する電源ユニット、リアプロジェクタ１内部の熱を冷却する冷却ファン等で構成される冷却ユニット、外部から供給された音声情報に基づいて音声を出力するスピーカ、および外部から供給された画像情報、音声情報等に基づいて光学ユニット４に光学像を形成させるとともに前記スピーカに音声を出力させる制御ユニット等が配置されているものとする。
【００１８】
光学ユニット４は、図２に示すように、インテグレータ照明光学系４１と、色分離光学系４２と、リレー光学系４３と、光学装置４４と、光学部品用筐体４５とを備える。
インテグレータ照明光学系４１は、図２に示すように、光源ランプ４１１Ａおよびリフレクタ４１１Ｂを含む光源装置４１１と、第１レンズアレイ４１２と、第２レンズアレイ４１３と、偏光変換素子４１４と、重畳レンズ４１５とを備える。
そして、光源ランプ４１１Ａから射出された光束は、リフレクタ４１１Ｂによって射出方向が揃えられ、第１レンズアレイ４１２によって複数の部分光束に分割され、第２レンズアレイ４１３の近傍で結像する。また、第２レンズアレイ４１３から射出された各部分光束は、偏光変換素子４１４により略１種類の偏光光に変換され、重畳レンズ４１５に入射する。さらに、重畳レンズ４１５から射出された複数の部分光束は、光学装置４４を構成する後述する光変調装置（液晶パネル）上で重畳する。
【００１９】
色分離光学系４２は、図２に示すように、２枚のダイクロイックミラー４２１，４２２と、反射ミラー４２３とを備える。そして、ダイクロイックミラー４２１，４２２によりインテグレータ照明光学系４１から射出された複数の部分光束を赤（Ｒ）、緑（Ｇ）、青（Ｂ）の３色の色光に分離する機能を有している。
リレー光学系４３は、図２に示すように、入射側レンズ４３１と、リレーレンズ４３３と、反射ミラー４３２，４３４とを備え、色分離光学系４２で分離された色光を、光学装置４４を構成する後述する光変調装置まで導く機能を有している。
【００２０】
光学装置４４は、色分離光学系４２から射出される３つの色光を画像情報に応じてそれぞれ変調し、変調した各色光を合成してカラー画像を形成して拡大投射する。この光学装置４４は、図２に示すように、液晶パネル４４１１（図３参照）を有する３つの光変調装置４４１と、これら光変調装置４４１の光束入射側および光束射出側にそれぞれ配置される入射側偏光板４４２および射出側偏光板４４３と、色合成光学装置としてのクロスダイクロイックプリズム４４４と、投射光学装置としての投射レンズ４４５とを備える。そして、これらのうち、３つの光変調装置４４１、３つの射出側偏光板４４３、クロスダイクロイックプリズム４４４、および投射レンズ４４５が一体化されて、光学装置本体４４０Ａ（図３参照）を構成する。この光学装置本体４４０Ａの詳細な構成については、後述する。なお、光学装置本体４４０Ａにおいて、３つの光変調装置４４１、３つの射出側偏光板４４３、およびクロスダイクロイックプリズム４４４の他、３つの入射側偏光板４４２も一体化する構成を採用してもよい。
【００２１】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、例えば、サファイアガラスまたは水晶等の透光性基板上に偏光膜が貼付された構成を有している。
光変調装置４４１を構成する液晶パネル４４１１は、具体的な図示は省略するが、一対の透明なガラス基板に電気光学物質である液晶が密閉封入された構成を有し、図示しない制御基板から出力される駆動信号に応じて、前記液晶の配向状態が制御され、入射側偏光板４４２から射出された偏光光束の偏光方向を変調する。
【００２２】
射出側偏光板４４３は、入射側偏光板４４２と略同様の構成であり、光変調装置４４１から射出された光束のうち、入射側偏光板４４２における光束の透過軸と直交する偏光軸を有する光束のみ透過させ、その他の光束を吸収するものである。
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視正方形状をなし、直角プリズム同士を貼り合わせた界面には、２つの誘電体多層膜が形成されている。これら誘電体多層膜は、投射レンズ４４５と対向する側に配置された光変調装置４４１から射出され射出側偏光板４４３を介した色光を透過し、残り２つの光変調装置４４１，４４１から射出され射出側偏光板４４３を介した色光を反射する。このようにして、各光変調装置４４１にて変調された各色光が合成されてカラー画像が形成される。
【００２３】
投射レンズ４４５は、クロスダイクロイックプリズム４４４の光束射出側に配置され、このクロスダイクロイックプリズム４４４から射出されたカラー画像を拡大して、反射ミラー３に向けて、すなわち、前方向に射出されたカラー画像を上方向へと折り曲げて投射するものである。なお、この投射レンズ４４５は、例えば、リアプロジェクタ１の製造機種に合わせて投射角度の異なるものが適宜、使用される。この投射レンズ４４５の構造については、光学装置本体４４０Ａの詳細な構成を説明する際に同時に説明する。
【００２４】
光学部品用筐体４５は、図２に示すように、内部に所定の照明光軸Ａが設定され、上述した光学素子４１〜４３、および光学装置４４を照明光軸Ａに対する所定位置に配置する。この光学部品用筐体４５は、図２に示すように、光源装置収納部材４５１と、部品収納部材４５２と、図示しない蓋状部材とを備える。なお、光源装置収納部材４５１および部品収納部材４５２を別体とする構成に限らず、一体的に形成する構成を採用してもよい。
光源装置収納部材４５１は、図２に示すように、光源装置４１１を内部に収納する筐体であり、部品収納部材４５２と接続可能に構成されている。
この光源装置収納部材４５１において、部品収納部材４５２との接続部分には、図２に示すように、光源装置４１１から射出される光束が通過するように開口４５１Ａが形成され、該開口４５１Ａを閉塞するように防爆ガラス４５１Ｂが取り付けられる。
また、この光源装置収納部材４５１において、対向する端面には、具体的な図示は省略するが、光源装置収納部材４５１内外に空気を流通させるためのスリット状の開口が形成され、前記開口を介して空気が流通することで内部に配置される光源装置４１１が冷却される。
【００２５】
部品収納部材４５２は、図２に示すように、上方側が開口し、一端側が光源装置収納部材４５１と接続し、他端側が平面視略コ字形状を有する容器状に形成され、上述した光学部品４１２〜４１５，４２１〜４２３，４３１〜４３４，４４２を内部に収納配置するとともに、他端側の平面視コ字状内側部分に後述する光学装置本体４４０Ａが配置される。
この部品収納部材４５２において、他端側のコ字状先端部分の外周面は、図２に示すように、光学装置本体４４０Ａを支持する支持面４５２Ａとして機能する。そして、この支持面４５２Ａには、光学装置本体４４０Ａを固定するための４つのねじ孔４５２Ｂ（図２では、２つのみのねじ孔４５２Ｂを図示している）と、図示しない２つの位置決め用孔とが形成されている。そして、部品収納部材４５２の支持面４５２Ａにて光学装置本体４４０Ａが支持されることで、図２に示すように、他端側のコ字状内側部分に、３つの光変調装置４４１、３つの射出側偏光板４４３、およびクロスダイクロイックプリズム４４４が配置される。
【００２６】
また、この部品収納部材４５２において、他端側のコ字状内側部分の端面には、該コ字状内側部分に配置されるクロスダイクロイックプリズム４４４の光束入射側端面に対応して、光束を通過させるための開口部４５２Ｃが形成され、該開口部４５２Ｃを閉塞するように入射側偏光板４４２が取り付けられる。
さらに、この部品収納部材４５２において、一端側には、光源装置４１１から射出された光束を通過させるための開口部４５２Ｄが形成され、該開口部４５２Ｄを閉塞するように第１レンズアレイ４１２が取り付けられる。
さらにまた、この部品収納部材４５２において、側面の内側面には、溝や突起等が形成され、これら溝や突起に、光学部品４１３〜４１５，４２１〜４２３，４３１〜４３４が取り付けられる。
前記蓋状部材は、部品収納部材４５２の上方側の開口部分を閉塞する部材であり、部品収納部材４５２の平面形状に対応する形状を有している。
【００２７】
反射ミラー３は、リアプロジェクタ１の外装筐体５の背面側に配置され、略台形状に形成された一般的な反射ミラーである。そして、この反射ミラー３は、図１に示すように、光学ユニット４から投射されたカラー画像を透過型スクリーン２の裏面側に反射する。
透過型スクリーン２は、一般的な矩形状の透過型スクリーンであり、例えば、裏面側から、拡散板、フレネルシート、レンチキュラーシート、保護板等により構成されている。そして、透過型スクリーン２は、光学ユニット４で拡大され、反射ミラー３で反射されたカラー画像を裏面から正面に投影する。
【００２８】
〔光学装置本体の構成〕
図３および図４は、光学装置本体４４０Ａの構成を示す図である。なお、図３および図４では、電気光学装置４４０Ｂから射出され投射レンズ４４５に向かう光束の光軸をＺ軸とし、このＺ軸に直交する２軸をそれぞれＸ軸、Ｙ軸とする。
光学装置本体４４０Ａは、３つの光変調装置４４１、３つの射出側偏光板４４３、およびクロスダイクロイックプリズム４４４が一体化された電気光学装置４４０Ｂと、投射レンズ４４５と、電気光学装置４４０Ｂおよび投射レンズ４４５を一体化する支持構造体４４６とを備える。
【００２９】
〔電気光学装置の構成〕
電気光学装置４４０Ｂは、３つの光変調装置４４１、３つの射出側偏光板４４３、およびクロスダイクロイックプリズム４４４が以下に示すように一体化されたものである。
３つの射出側偏光板４４３は、図４に示すように、クロスダイクロイックプリズム４４４の光束入射側端面に接着剤等により固着される。なお、図４では、投射レンズ４４５と対向する側の射出側偏光板４４３のみ図示しているが、他の射出側偏光板４４３もクロスダイクロイックプリズム４４４の各光束入射側端面に固着されている。
３つの光変調装置４４１は、図３または図４に示すように、各液晶パネル４４１１が保持枠４４１２内に収納された構成を有する。そして、保持枠４４１２の四隅部分に形成された孔４４１２Ａにピン４４１３を紫外線硬化型接着剤とともに挿入することにより、クロスダイクロイックプリズム４４４の光束入射側端面に接着固定される。
以上のように、３つの光変調装置４４１、３つの射出側偏光板４４３、およびクロスダイクロイックプリズム４４４が一体化される。
【００３０】
〔投射レンズの構成〕
図５は、光学装置本体４４０Ａを図３および図４中、＋Ｚ軸方向から見た図である。
投射レンズ４４５は、鏡筒４４５１（図３ないし図５）内に複数のレンズ、および、入射光束を偏向するミラーが収納された構成を有する。
鏡筒４４５１は、図３ないし図５に示すように、水平方向（図３ないし図５に示すＺ軸方向）に延出するとともに先端部分が上方側（図３ないし図５に示すＹ軸方向側）に屈曲した形状を有し、基端側にフランジ部４４５２を有している。本実施形態では、鏡筒４４５１およびフランジ部４４５２を成形加工により一体的に形成している。なお、鏡筒４４５１およびフランジ部４４５２を一体的に形成する構成に限らず、別々に形成した後に一体化する構成を採用してもよい。
フランジ部４４５２は、図３ないし図５に示すように、鏡筒４４５１の基端側の外周部分からＸＹ平面に沿って拡がる平面視略矩形状の板体で構成され、支持構造体４４６と接続するとともに、一体化された光学装置本体４４０Ａを光学部品用筐体４５に固定するための部材である。
このフランジ部４４５２において、四隅部分には、図３ないし図５に示すように、光学部品用筐体４５と接続するための固定用孔４４５２Ａが形成されている。
また、フランジ部４４５２の光束入射側端面には、図３または図４に示すように、４つの固定用孔４４５２Ａのうち対角位置に形成される２つの固定用孔４４５２Ａの近傍に、光学部品用筐体４５の図示しない位置決め用孔に嵌合する位置決め用突起４４５２Ｂが形成されている。
【００３１】
さらに、このフランジ部４４５２の光束入射側端面には、図４に示すように、上方側（図４中、＋Ｙ軸方向側）の角隅部分の近傍位置に、支持構造体４４６の後述する第１台座を位置決めするための２つの位置決め用孔４４５２Ｃが形成されている。この位置決め用孔４４５２Ｃは、上下方向（図４中、Ｙ軸方向）に延びるように形成された凹部であり、該上下方向と直交する方向（図４中、Ｘ軸方向）の前記第１台座の位置を規制する。
また、２つの位置決め用孔４４５２Ｃの近傍位置には、図４または図５に示すように、前記第１台座を固定するためのトラック孔としての２つの固定用孔４４５２Ｄが形成されている。この固定用孔４４５２Ｄは、位置決め用孔４４５２Ｃと同様に、上下方向（図４、５中、Ｙ軸方向）に延びるように形成され、該上下方向に前記第１台座を位置調整可能に形成されている。
【００３２】
さらにまた、このフランジ部４４５２の光束入射側端面には、図４に示すように、下方側（図４中、−Ｙ軸方向側）の角隅部分の近傍位置に、支持構造体４４６の後述する第２台座を位置決めするための２つの位置決め用孔４４５２Ｅが形成されている。なお、図４では、−Ｘ軸方向の位置決め用孔４４５２Ｅのみを図示している。この位置決め用孔４４５２Ｅは、前記第２台座の後述する位置決め用突起を嵌合可能とする凹部である。
また、２つの位置決め用孔４４５２Ｅの近傍位置、および鏡筒４４５１の下方側（図４、５中、−Ｙ軸方向側）には、図４または図５に示すように、前記第２台座を固定するための３つの固定用孔４４５２Ｆが形成されている。
【００３３】
〔支持構造体の構成〕
支持構造体４４６は、電気光学装置４４０Ｂおよび投射レンズ４４５を一体化する部材であり、図３または図４に示すように、第１台座４４６１と、第２台座４４６２とで構成される。なお、本実施形態では、第１台座４４６１および第２台座４４６２を成形加工により形成している。
第１台座４４６１は、図３または図４に示すように、電気光学装置４４０Ｂを構成するクロスダイクロイックプリズム４４４における３つの光束入射側端面に交差する端面である上面（図３、４中、＋Ｙ軸方向端面）に固定される。この第１台座４４６１は、図３または図４に示すように、投射レンズ４４５のフランジ部４４５２に沿って延出するフランジ接続部４４６１Ａと、フランジ接続部４４６１Ａと略直交する方向に延出するプリズム接続部４４６１Ｂとが一体的に形成されたものであり、Ｙ軸方向から見て略Ｔ字形状を有する。
プリズム接続部４４６１Ｂは、図４に示すように、クロスダイクロイックプリズム４４４の上面と接続する部分であり、クロスダイクロイックプリズム４４４の上面に沿って延出し前記上面に接着固定される第１支持面４４６１Ｂ１を有する板状に形成されている。
このプリズム接続部４４６１Ｂには、図３または図４に示すように、第１支持面４４６１Ｂ１に貫通するように接着剤溜り用の凹部としての複数の孔４４６１Ｂ２が形成されている。
また、このプリズム接続部４４６１Ｂの対向する各端縁（図３、４中、Ｘ軸方向両端縁）には、上方向（図３、４中、＋Ｙ軸方向）に突出しフランジ接続部４４６１Ａとの接続状態を補強する一対の補強部４４６１Ｂ３が形成されている。
【００３４】
フランジ接続部４４６１Ａは、図３または図４に示すように、投射レンズ４４５におけるフランジ部４４５２の光束入射側端面と接続する部分であり、第１支持面４４６１Ｂ１に略直交して水平方向（図３、４中、Ｘ軸方向）に延出しフランジ部４４５２の光束入射側端面と接続する第２支持面４４６１Ａ１を有する。
このフランジ接続部４４６１Ａの水平方向（図３、４中、Ｘ軸方向）の両端部には、図３または図４に示すように、フランジ部４４５２の２つの固定用孔４４５２Ｄに対応して、第１台座４４６１をフランジ部４４５２に接続するための固定用孔４４６１Ａ２が形成されている。
また、このフランジ接続部４４６１Ａの第２支持面４４６１Ａ１には、図４に示すように、２つの固定用孔４４６１Ａ２の近傍位置に、フランジ部４４５２の２つの位置決め用孔４４５２Ｃに対応して、該第２支持面４４６１Ａ１の面外方向に突出する２つの位置決め用突起４４６１Ａ３が形成されている。なお、図４では、−Ｘ軸方向の位置決め用突起４４６１Ａ３のみを図示している。
すなわち、本実施形態では、第１台座４４６１は、フランジ部４４５２に対してＺ軸方向に接続する構成を採用している。
【００３５】
第２台座４４６２は、図３または図４に示すように、電気光学装置４４０Ｂを構成するクロスダイクロイックプリズム４４４における３つの光束入射側端面に交差する端面である下面（図３、４中、−Ｙ軸方向端面）に固定される。すなわち、第１台座４４６１および第２台座４４６２は、クロスダイクロイックプリズム４４４における３つの光束入射側端面に交差し互いに対向する上面および下面を挟持するように配置される。この第２台座４４６２は、上述した第１台座４４６１と略同様に、図３または図４に示すように、投射レンズ４４５のフランジ部４４５２に沿って延出するフランジ接続部４４６２Ａと、フランジ接続部４４６２Ａと略直交する方向に延出するプリズム接続部４４６２Ｂとが一体的に形成されたものであり、Ｙ軸方向から見て略Ｔ字形状を有する。
プリズム接続部４４６２Ｂは、図４に示すように、クロスダイクロイックプリズム４４４の下面と接続する部分であり、クロスダイクロイックプリズム４４４の下面に沿って延出し前記下面に接着固定される第１支持面４４６２Ｂ１を有する略直方体状に形成されている。
この第１支持面４４６２Ｂ１には、図４に示すように、平面視略中央部分に、該第１支持面４４６２Ｂ１の面外方向に膨出する膨出部４４６２Ｂ２が形成されている。
また、膨出部４４６２Ｂ２の周縁部分には、図４に示すように、接着剤溜り用の凹部４４６２Ｂ３が形成されている。
【００３６】
フランジ接続部４４６２Ａは、図３または図４に示すように、投射レンズ４４５におけるフランジ部４４５２の光束入射側端面と接続する部分であり、第１支持面４４６２Ｂ１に略直交して水平方向（図３、４中、Ｘ軸方向）に延出しフランジ部４４５２の光束入射側端面と接続する第２支持面４４６２Ａ１を有する。また、このフランジ接続部４４６２Ａは、フランジ部４４５２に接続した際に鏡筒４４５１の下方側（図４中、−Ｙ軸方向側）を囲むように平面視コ字形状を有するように形成されている。
このフランジ接続部４４６２Ａのコ字状先端部分、およびコ字状基端部分の水平方向（図４中、Ｘ軸方向）略中央部分には、図３または図４に示すように、フランジ部４４５２の３つの固定用孔４４５２Ｆに対応して、第２台座４４６２をフランジ部４４５２に接続するための固定用孔４４６２Ａ２が形成されている。なお、図３または図４では、フランジ接続部４４６２Ａのコ字状先端部分における−Ｘ軸方向の固定用孔４４５２Ｆのみを図示している。
また、このフランジ接続部４４６２Ａの第２支持面４４６２Ａ１には、図４に示すように、２つの固定用孔４４６２Ａ２の近傍位置に、フランジ部４４５２の２つの位置決め用孔４４５２Ｅに対応して、該第２支持面４４６２Ａ１の面外方向に突出する２つの位置決め用突起４４６２Ａ３が形成されている。
すなわち、本実施形態では、第２台座４４６２は、第１台座４４６１と同様に、フランジ部４４５２に対してＺ軸方向に第２台座４４６２が接続する構成を採用している。
【００３７】
〔光学装置本体の組立方法〕
次に、上述した光学装置本体４４０Ａの組立方法を説明する。
先ず、第２台座４４６２に対してクロスダイクロイックプリズム４４４を位置調整して固定する。
具体的に、先ず、図示しない位置決め治具を用いて、クロスダイクロイックプリズム４４４の位置調整を実施する。この位置調整としては、例えば、クロスダイクロイックプリズム４４４の上面をＣＣＤ（Charge Coupled Device）等の光学像検出装置にて検出し、検出した画像に基づいて、クロスダイクロイックプリズム４４４の２つの誘電体多層膜にて形成される十字位置が所定の位置となるように位置調整する構成を採用できる。また、例えば、クロスダイクロイックプリズム４４４の光束入射側端面から光束を導入し、光束射出側端面から射出される光束に基づいて、クロスダイクロイックプリズム４４４を位置調整する構成を採用してもよい。
クロスダイクロイックプリズム４４４を位置調整した後、所定位置に設置しておいた第２台座４４６２の膨出部４４６２Ｂ２に接着剤を塗布し、クロスダイクロイックプリズム４４４の姿勢を維持しつつ前記位置決め治具を移動し、クロスダイクロイックプリズム４４４の下面を第２台座４４６２の膨出部４４６２Ｂ２に当接し接着固定する。
ここで、接着剤としては、種々の接着剤を採用でき、例えば、嫌気性接着剤、紫外線硬化型接着剤、あるいは、熱硬化型接着剤等を採用できる。
【００３８】
なお、第２台座４４６２に対してクロスダイクロイックプリズム４４４を位置調整して固定する方法は、上述した方法に限らず、以下の方法を採用してもよい。
例えば、第２台座４４６２を所定位置に設置する。そして、第２台座４４６２の膨出部４４６２Ｂ２に熱硬化型接着剤または紫外線硬化型接着剤を塗布し、クロスダイクロイックプリズム４４４の下面を第２台座４４６２の膨出部４４６２Ｂ２に当接させる。そして、接着剤が未硬化の状態で、上述したような方法で、第２台座４４６２に対するクロスダイクロイックプリズム４４４の位置調整を実施する。位置調整後、ホットエアまたは紫外線等で接着剤を硬化して第２台座４４６２およびクロスダイクロイックプリズム４４４を固定する。
【００３９】
次に、クロスダイクロイックプリズム４４４が固定された第２台座４４６２を、投射レンズ４４５のフランジ部４４５２に接続する。
具体的に、第２台座４４６２の２つの位置決め用突起４４６２Ａ３を、フランジ部４４５２の２つの位置決め用孔４４５２Ｅに嵌合させる。この状態で、第２台座４４６２は、フランジ部４４５２に対して位置決めされ、すなわち、クロスダイクロイックプリズム４４４が投射レンズ４４５に対して位置決めされる。
そして、図示しない３つの固定ねじを、第２台座４４６２の３つの固定用孔４４６２Ａ２を介してフランジ部４４５２の３つの固定用孔４４５２Ｆに螺合することで、第２台座４４６２をフランジ部４４５２に固定する。
【００４０】
次に、第１台座４４６１を、投射レンズ４４５のフランジ部４４５２に接続する。
具体的に、第１台座４４６１の第１支持面４４６１Ｂ１に接着剤を塗布する。ここで、接着剤としては、第２台座４４６２およびクロスダイクロイックプリズム４４４を固定する際に用いた接着剤と同様に、嫌気性接着剤、紫外線硬化型接着剤、あるいは、熱硬化型接着剤等を採用できる。
また、第１台座４４６１の２つの位置決め用突起４４６１Ａ３を、フランジ部４４５２の２つの位置決め用孔４４５２Ｃに挿通する。この状態で、第１台座４４６１は、フランジ部４４５２に対して水平方向（図３〜５中、Ｘ軸方向）の位置が規制される。
さらに、第１台座４４６１の２つの固定用孔４４６１Ａ２、およびフランジ部４４５２の２つの固定用孔４４５２Ｄに図示しない固定ねじをそれぞれ挿通し、前記固定ねじの先端部分に図示しないナットを螺合させる。この際、前記固定ねじを前記ナットに対して緩めた状態にしておく。
ここで、フランジ部４４５２の２つの位置決め用孔４４５２Ｃおよび２つの固定用孔４４５２Ｄは、上述したように、上下方向（図４中、Ｙ軸方向）に延びるように形成されているため、第１台座４４６１は、上述した状態で、上下方向に移動可能である。そして、上述した状態で、第１台座４４６１を下方向（図３〜５中、−Ｙ軸方向）に移動させ、第１台座４４６１の第１支持面４４６１Ｂ１をクロスダイクロイックプリズム４４４の上面に当接し接着固定する。
この後、前記固定ねじおよび前記ナットを締め、第１台座４４６１をフランジ部４４５２に対して固定する。
【００４１】
上述したように、第１台座４４６１、第２台座４４６２、クロスダイクロイックプリズム４４４、および投射レンズ４４５を一体化した後、クロスダイクロイックプリズム４４４の３つの光束入射側端面に３つの射出側偏光板４４３および３つの光変調装置４４１をそれぞれ位置調整しながら取り付けることで、光学装置本体４４０Ａが組み立てられる。
なお、第２台座４４６２およびクロスダイクロイックプリズム４４４を固定する前、あるいは、第２台座４４６２を投射レンズ４４５のフランジ部４４５２に接続する前に、予め、クロスダイクロイックプリズム４４４の各光束入射側端面に３つの射出側偏光板４４３をそれぞれ位置調整しながら貼り付けてもよい。
また、同様に、第２台座４４６２を投射レンズ４４５のフランジ部４４５２に接続する前に、予め、クロスダイクロイックプリズム４４４の各光束入射側端面に３つの光変調装置４４１をそれぞれ位置調整しながら取り付けてもよい。
【００４２】
そして、光学部品用筐体４５の図示しない位置決め用孔にフランジ部４４５２の位置決め用突起４４５２Ｂを嵌合させ、４つのねじ４４５３（図２では、２つのみのねじ４４５３を図示している）をフランジ部４４５２の固定用孔４４５２Ａにそれぞれ挿通して光学部品用筐体４５の固定用孔４４５２Ａに螺合することで、光学装置本体４４０Ａが光学部品用筐体４５に固定される。
【００４３】
上述した第１実施形態においては、第１台座４４６１および第２台座４４６２が別体で構成されているので、上述した光学装置本体４４０Ａの組立方法のように、クロスダイクロイックプリズム４４４の姿勢状態を調整した後、第１台座４４６１および第２台座４４６２をそれぞれクロスダイクロイックプリズム４４４の上下面に固定する方法を採用できる。すなわち、第１台座４４６１および第２台座４４６２の相対位置の変更が適宜可能な構成となり、従来のようにクロスダイクロイックプリズム４４４の寸法公差に応じて一対の取付部を高精度に形成する構成と比較して、第１台座４４６１および第２台座４４６２にそれほど高い精度が要求されない。また、リアプロジェクタ１の機種等に応じて異なる寸法を有する種々のクロスダイクロイックプリズム４４４に対応でき、従来のように、異なる寸法を有する種々のクロスダイクロイックプリズム４４４に対応させて種々のプリズムホルダを製造する必要がない。したがって、第１台座４４６１および第２台座４４６２の製造コストを低減でき、ひいては、リアプロジェクタ１の製造コストの低減を図れる。
【００４４】
また、第１台座４４６１および第２台座４４６２にてクロスダイクロイックプリズム４４４の対向する上下面を挟持固定するため、外部から電気光学装置４４０Ｂに加わる力を第１台座４４６１、第２台座４４６２、およびフランジ部４４５２にて抑制できる。したがって、クロスダイクロイックプリズム４４４の３つの光束入射側端面に取り付けられる３つの光変調装置４４１の相互の位置ずれを抑制でき、画素ずれのない良好な光学像を拡大投射できる。
ここで、第２台座４４６２には３つの固定用孔４４６２Ａ２が形成されているので、フランジ接続部４４６２Ａのコ字状先端部分、およびコ字状基端部分の水平方向略中央部分の３点がフランジ部４４５２に対してねじ固定される。このことにより、第２台座４４６２による電気光学装置４４０Ｂおよび投射レンズ４４５の接続状態を良好に維持でき、外部から電気光学装置４４０Ｂに加わる力をさらに抑制できる。
特に、リアプロジェクタ１の場合には、スクリーンを観察する方向から投射を行うフロントプロジェクタと比較して、内蔵されるスピーカの出力値が高い構成が一般的に採用される。本実施形態では、リアプロジェクタ１に上述した第１台座４４６１、第２台座４４６２、およびフランジ部４４５２による電気光学装置４４０Ｂおよび投射レンズ４４５を一体化する構造を採用することで、特にスピーカ出力による振動が電気光学装置４４０Ｂに伝達することを効果的に抑制できる。したがって、画素ずれのない鮮明な光学像を透過型スクリーン２に投影できる。
【００４５】
さらに、第１台座４４６１および第２台座４４６２は、互いに略直交する第１支持面４４６１Ｂ１，４４６２Ｂ１および第２支持面４４６１Ａ１，４４６２Ａ１をそれぞれ有し、各第２支持面４４６１Ａ１，４４６２Ａ１がフランジ部４４５２の光束入射側端面にそれぞれ接続する。すなわち、第１台座４４６１および第２台座４４６２と、フランジ部４４５２との接続方向がクロスダイクロイックプリズム４４４から射出され投射レンズ４４５に向かう光束の光軸方向（Ｚ軸）に設定される。このことにより、従来のようにレンズホルダにガイド溝等を高精度に形成する構成と比較して、各第２支持面４４６１Ａ１，４４６２Ａ１とフランジ部４４５２の光束入射側端面を精度良く形成するだけで、第１台座４４６１および第２台座４４６２とフランジ部４４５２とを高精度に位置決めすることが可能となり、すなわち、電気光学装置４４０Ｂおよび投射レンズ４４５を高精度に位置決めすることが可能となる。このため、第１台座４４６１および第２台座４４６２のみならず、フランジ部４４５２の製造コストを低減でき、リアプロジェクタ１の製造コストをさらに低減できる。
【００４６】
ここで、第２台座４４６２に２つの位置決め用突起４４６２Ａ３が形成され、フランジ部４４５２に２つの位置決め用孔４４５２Ｅが形成されている。このことにより、第２支持面４４６２Ａ１およびフランジ部４４５２の光束入射側端面にて投射レンズ４４５に対する電気光学装置４４０Ｂの光軸方向（Ｚ軸）の位置決めを実施し、位置決め用突起４４６２Ａ３および位置決め用孔４４５２Ｅにて投射レンズ４４５に対する電気光学装置４４０Ｂの光軸（Ｚ軸）と直交する平面（ＸＹ平面）内の位置決めを実施できる。このため、投射レンズ４４５に対する電気光学装置４４０Ｂの位置決めを簡単な構成で実現でき、リアプロジェクタ１の製造コストの低減化を図れる。
また、第１台座４４６１、第２台座４４６２、およびフランジ部４４５２は、成形加工により形成されているので、従来のように光軸方向（Ｚ軸）と直交する上下方向（Ｙ軸）で接続する各接続面を精度良く成形する場合に比較して、各第２支持面４４６１Ａ１，４４６２Ａ１およびフランジ部４４５２の光束入射側端面の各接続面を高精度に成形することが容易となり、第１台座４４６１、第２台座４４６２、およびフランジ部４４５２の製造コストの低減をさらに一層図れ、リアプロジェクタ１の製造コストをさらに一層低減できる。
【００４７】
さらにまた、フランジ部４４５２に第１台座４４６１を固定するための固定用孔４４５２Ｄは、上下方向（Ｙ軸）に延びるように形成されているので、第１台座４４６１とフランジ部４４５２とをねじにて取り付けた状態で、フランジ部４４５２に対して第１台座４４６１を上下方向に移動させることができる。このため、第１台座４４６１とフランジ部４４５２とをねじにて取り付けた状態で、第１台座４４６１を移動させて第１台座４４６１の第１支持面４４６１Ｂ１をクロスダイクロイックプリズム４４４の上面に当接して接着固定した後、ねじを締め付けることで第１台座４４６１とフランジ部４４５２とを固定できる。したがって、電気光学装置４４０Ｂおよび投射レンズ４４５を一体化する作業を、簡単な構成で容易にかつ迅速に実施できる。
【００４８】
また、第２台座４４６２には、第１支持面４４６２Ｂ１に膨出部４４６２Ｂ２が形成されているので、膨出部４４６２Ｂ２の曲面形状とクロスダイクロイックプリズム４４４の下面とで形成される隙間に接着剤を充填させることができる。このため、第１支持面４４６２Ｂ１に接着剤を塗布した状態でクロスダイクロイックプリズム４４４の下面と第１支持面４４６２Ｂ１とを当接させた場合に、接着剤が前記隙間に向かう方向に流れ、クロスダイクロイックプリズム４４４を確実に固定することができる。したがって、リアプロジェクタ１の製造を良好に実施できる。
【００４９】
さらに、第１台座４４６１の第１支持面４４６１Ｂ１には複数の孔４４６１Ｂ２が形成され、第２台座４４６２の第１支持面４４６２Ｂ１には凹部４４６２Ｂ３が形成されているので、複数の孔４４６１Ｂ２内部、および凹部４４６２Ｂ３内部に接着剤を充填させることができる。このため、各第１支持面４４６１Ｂ１，４４６２Ｂ１に接着剤を塗布した状態でクロスダイクロイックプリズム４４４の上下面と各第１支持面４４６１Ｂ１，４４６２Ｂ１とを当接させた場合に、接着剤が複数の孔４４６１Ｂ２内部、および凹部４４６２Ｂ３内部に向かう方向に流れ、クロスダイクロイックプリズム４４４の３つの光束入射側端面、および光束射出側端面に接着剤が流れ出ることを防止できる。したがって、不要な部分に接着剤が付着することを防止でき、リアプロジェクタ１の製造を良好に実施できる。
【００５０】
[第２実施形態]
次に、本発明の第２実施形態を図面に基づいて説明する。
図６は、第２実施形態における光学装置本体５４０Ａの構造を示す分解斜視図である。なお、図６では、説明の便宜上、３つの射出側偏光板４４３および３つの光変調装置４４１を省略している。また、図６では、図３ないし図５と同様に、電気光学装置４４０Ｂから射出され投射レンズ４４５に向かう光束の光軸をＺ軸とし、このＺ軸に直交する２軸をそれぞれＸ軸、Ｙ軸とする。
本実施形態では、図６に示すように、光学装置本体５４０Ａにおいて、支持構造体５４６（第１台座５４６１および第２台座５４６２）の構造が前記第１実施形態で説明した支持構造体４４６（第１台座４４６１および第２台座４４６２）の構造と異なるのみであり、その他の光学装置本体５４０Ａの構成、およびリアプロジェクタ１の構成については、前記第１実施形態と同様のものである。
【００５１】
支持構造体５４６を構成する第１台座５４６１は、図６に示すように、前記第１実施形態で説明したプリズム接続部４４６１Ｂと略同様の形状を有する。この第１台座５４６１は、図６に示すように、クロスダイクロイックプリズム４４４の上面に沿って延出し前記上面に接着固定される第１支持面５４６１Ｂ１、および第１支持面５４６１Ｂ１と略直交する方向に延出しフランジ部４４５２の光束入射側端面に第２台座５４６２を介して接続する第２支持面５４６１Ｂ２を有する、側面視略Ｌ字形状を有する。また、第１台座５４６１の水平方向両端縁（図６中、Ｘ軸方向両端縁）には、上方向（図６中、＋Ｙ軸方向）に突出し第２台座５４６２およびクロスダイクロイックプリズム４４４の接続状態を補強する一対の補強部５４６１Ｂ３が形成されている。
【００５２】
また、第１台座５４６１には、図６に示すように、前記第１実施形態で説明した第１台座４４６１と同様に、第１支持面５４６１Ｂ１に貫通するように接着剤溜り用の凹部としての複数の孔５４６１Ｂ４が形成されている。
さらに、第１台座５４６１には、図６に示すように、第２支持面５４６１Ｂ２に貫通するように、トラック孔としての２つの固定用孔５４６１Ｂ５が形成されている。この固定用孔５４６１Ｂ５は、上下方向（図６中、Ｙ軸方向）に延びるように形成され、該上下方向に第２台座５４６２に対して第１台座５４６１の位置を調整可能とする。
【００５３】
支持構造体５４６を構成する第２台座５４６２は、図６に示すように、側面視略Ｌ字形状を有し、Ｌ字形状水平部分のフランジ接続部５４６２Ａと、Ｌ字形状垂直部分のプリズム接続部５４６２Ｂとで構成される。
プリズム接続部５４６２Ｂは、図６に示すように、クロスダイクロイックプリズム４４４の下面に沿って延出し前記下面に接着固定される第１支持面５４６２Ｂ１を有する略四角柱状に形成されている。
この第１支持面５４６２Ｂ１には、図６に示すように、前記第１実施形態で説明した第２台座４４６２と同様に、該第１支持面５４６２Ｂ１の面外方向に膨出する膨出部５４６２Ｂ２と、膨出部５４６２Ｂ２の周縁部分に接着剤溜り用の凹部５４６２Ｂ３とが形成されている。
【００５４】
フランジ接続部５４６２Ａは、図６に示すように、ＸＹ平面に沿って延出する平面視矩形状の板体で構成され、フランジ部４４５２の光束入射側端面と接続するとともに、第１台座５４６１を支持する部分であり、光束射出側端面が第１支持面５４６２Ｂ１に略直交しフランジ部４４５２の光束入射側端面と接続する第２支持面５４６２Ａ１となる。
このフランジ接続部５４６２Ａにおいて、平面視略中央部分には、図６に示すように、投射レンズ４４５を構成する鏡筒４４５１の基端部分を挿通可能とする円孔５４６２Ａ２が形成されている。
また、このフランジ接続部５４６２Ａにおいて、四隅部分には、図６に示すように、フランジ部４４５２の光束入射側端面に固定するための固定用孔５４６２Ａ３が形成されている。
さらに、このフランジ接続部５４６２Ａにおいて、上方側（図６中、＋Ｙ軸方向側）の水平方向（図６中、Ｘ軸方向）略中央部分には、図６に示すように、第１台座５４６１の２つの固定用孔５４６１Ｂ５に対応して、２つの固定用孔５４６２Ａ４が形成されている。
【００５５】
また、本実施形態のフランジ部４４５２は、図６に示すように、４つの固定用孔４４５２Ａおよび２つの位置決め用突起４４５２Ｂの他、第２台座５４６２を構成するフランジ接続部５４６２Ａの４つの固定用孔５４６２Ａ４に対応した４つのねじ孔４４５２Ｇを有する。すなわち、前記第１実施形態で説明した位置決め用孔４４５２Ｃ，４４５２Ｅ、および固定用孔４４５２Ｄ，４４５２Ｆが省略されている。
【００５６】
次に、上述した光学装置本体５４０Ａの組立方法を説明する。なお、光学装置本体５４０Ａの組立方法は、前記第１実施形態で説明した光学装置本体４４０Ａの組立方法と略同様であり、以下では、適宜、簡略化して説明する。
先ず、前記第１実施形態で説明した第２台座４４６２およびクロスダイクロイックプリズム４４４を固定する方法と略同様の方法で、第２台座５４６２およびクロスダイクロイックプリズム４４４を固定する。
この後、フランジ接続部５４６２Ａの円孔５４６２Ａ２に投射レンズ４４５を構成する鏡筒４４５１の基端部分を挿通する。そして、図示しない４つの固定ねじを４つの固定用孔５４６２Ａ３を介してフランジ部４４５２に形成された４つのねじ孔４４５２Ｇ（図６）に螺合することで、第２台座５４６２が投射レンズ４４５に対して位置決め固定され、すなわち、クロスダイクロイックプリズム４４４が投射レンズ４４５に対して位置決め固定される。
【００５７】
上述したように、第２台座５４６２、クロスダイクロイックプリズム４４４、および投射レンズ４４５を一体化した後、第１台座５４６１を第２台座５４６２のフランジ接続部５４６２Ｂに接続する。
具体的に、第１台座５４６１の第１支持面５４６１Ｂ１に接着剤を塗布する。ここで、接着剤としては、前記第１実施形態で説明した接着剤と同様に、嫌気性接着剤、紫外線硬化型接着剤、あるいは、熱硬化型接着剤等を採用できる。また、第１台座５４６１の２つの固定用孔５４６１Ｂ５に図示しない２つの固定ねじを挿通し、該固定ねじを第２台座５４６２の２つの固定用孔５４６２Ａ４に螺合する。この際、前記固定ねじを緩めた状態にしておく。
ここで、第１台座５４６１の２つの固定用孔５４６１Ｂ５は、上述したように、上下方向（図６中、Ｙ軸方向）に延びるように形成されているため、第１台座５４６１は、上述した状態で、上下方向に移動可能である。そして、上述した状態で、第１台座５４６１を下方向（図６中、−Ｙ軸方向）に移動させ、第１台座５４６１の第１支持面５４６１Ｂ１をクロスダイクロイックプリズム４４４の上面に当接し接着固定する。
この後、前記固定ねじを固定用孔５４６２Ａ４に締め付け、第１台座５４６１を第２台座５４６２に対して固定する。
以上のようにして、第１台座５４６１、第２台座５４６２、クロスダイクロイックプリズム４４４、および投射レンズ４４５が一体化した後、前記第１実施形態と同様に、３つの射出側偏光板４４３および３つの光変調装置４４１を取り付けることで、光学装置本体５４０Ａが組み立てられる。
【００５８】
上述した第２実施形態においては、前記第１実施形態と比較して、第２台座５４６２のフランジ接続部５４６２Ａは、フランジ部４４５２に沿って延出する平面視矩形状の板体で構成され、フランジ部４４５２の光束入射側端面と接続するとともに、第１台座５４６１を支持する。このことにより、前記第１実施形態と比較して、第２台座５４６２の第２支持面５４６２Ａ１を大きくかつ、接続箇所（固定用孔５４６２Ａ３の４つ）を多くとることができる。このため、第２台座５４６２による投射レンズ４４５に対する電気光学装置４４０Ｂの支持状態を良好に維持でき、第１台座５４６１とともに、外部から電気光学装置４４０Ｂに加わる力をさらに抑制できる。したがって、クロスダイクロイックプリズム４４４の３つの光束入射側端面に取り付けられる３つの光変調装置４４１の相互の位置ずれをさらに抑制でき、画素ずれのない鮮明な光学像を透過型スクリーン２に投影できる。
【００５９】
[第３実施形態]
次に、本発明の第３実施形態を図面に基づいて説明する。
図７は、第３実施形態における光学装置本体６４０Ａの構造を示す分解斜視図である。なお、図７では、説明の便宜上、３つの射出側偏光板４４３および３つの光変調装置４４１を省略している。また、図７では、図３ないし図６と同様に、電気光学装置４４０Ｂから射出され投射レンズ４４５に向かう光束の光軸をＺ軸とし、このＺ軸に直交する２軸をそれぞれＸ軸、Ｙ軸とする。
本実施形態では、図７に示すように、光学装置本体６４０Ａにおいて、支持構造体６４６（２つの台座６４６１）の構造が前記第１実施形態で説明した支持構造体４４６（第１台座４４６１および第２台座４４６２）の構造と異なるのみであり、その他の光学装置本体６４０Ａの構成、およびリアプロジェクタ１の構成については、前記第１実施形態と同様のものである。
【００６０】
支持構造体６４６は、図７に示すように、同一形状を有する第１台座および第２台座としての２つの台座６４６１で構成される。これら２つの台座６４６１は、前記第１実施形態で説明した第１台座４４６１と略同様の形状を有し、第１台座４４６１と同様に、フランジ接続部４４６１Ａ（第２支持面４４６１Ａ１、２つの固定用孔４４６１Ａ２、および２つの位置決め用突起４４６１Ａ３を含む）と、プリズム接続部４４６１Ｂ（第１支持面４４６１Ｂ１および補強部４４６１Ｂ３を含む）とで構成される。
また、台座６４６１の第１支持面４４６１Ｂ１には、図７に示すように、該第１支持面４４６１Ｂ１の面外方向に膨出する膨出部６４６１Ａ４と、膨出部６４６１Ａ４の周縁部に接着剤溜り用の凹部６４６１Ａ５とが形成されている。
さらに、具体的な図示は省略するが、台座６４６１の第２支持面４４６１Ａ１には、水平方向（図７中、Ｘ軸方向）の略中央部分の下方側（図７中、−Ｙ軸方向側）に、フランジ部４４５２の水平方向（図７中、Ｘ軸方向）の略中央部分の下方側（図７中、−Ｙ軸方向側）の固定用孔４４５２Ｆに対応して、固定用孔が形成されている。そして、２つの台座６４６１のうち、下方側（図７中、−Ｙ軸方向側）の台座６４６１は、２つの固定用孔４４６１Ａ２および前記固定用孔の３つの孔にてフランジ部４４５２に対して固定ねじにて固定される。
【００６１】
なお、上述した光学装置本体６４０Ａの組立方法は、前記第１実施形態で説明した光学装置本体４４０Ａの組立方法と略同様であり、説明を省略する。
【００６２】
上述した第３実施形態においては、前記第１実施形態と比較して、支持構造体６４６を構成する２つの台座６４６１が同一形状を有しているので、クロスダイクロイックプリズム４４４の上下面に固定される２つの台座６４６１を共通化し同一の製造装置および製造方法にて製造でき、電気光学装置４４０Ｂおよび投射レンズ４４５を一体化する構造の簡素化を図れる。したがって、第１台座および第２台座の製造コストを低減でき、ひいては、リアプロジェクタ１の製造コストのさらなる低減化を図れる。
【００６３】
以上、本発明について好適な実施形態を挙げて説明したが、本発明は、上述した実施形態に限定されるものではなく、本発明の要旨を逸脱しない範囲において種々の改良並びに設計の変更が可能である。
前記各実施形態において、支持構造体４４６，５４６，６４６の形状は、前記各実施形態で説明した形状に限らない。すなわち、第１台座４４６１，５４６１、第２台座４４６２，５４６２、および台座６４６１は、互いに略直交する第１支持面４４６１Ｂ１，４４６２Ｂ１，５４６１Ｂ１，５４６２Ｂ１および第２支持面４４６１Ａ１，４４６２Ａ１，５４６１Ｂ２，５４６２Ａ１を有していれば、その他の形状を採用してもよい。
【００６４】
前記第１実施形態では、フランジ部４４５２の固定用孔４４５２Ｄをトラック孔として形成していたが、これに限らず、第１台座４４６１の固定用孔４４６１Ａ２をトラック孔とする構成としてもよい。また、同様に、前記第２実施形態では、第１台座５４６１の固定用孔５４６１Ｂ５をトラック孔として形成していたが、これに限らず、第２台座５４６２の固定用孔５４６２Ａ４をトラック孔とする構成としてもよい。
【００６５】
前記第１実施形態および前記第２実施形態では、第２台座４４６２，５４６２の第１支持面４４６２Ｂ１，５４６２Ｂ１に膨出部４４６２Ｂ２，５４６２Ｂ２が形成されていたが、これに限らず、第１台座４４６１，５４６１の第１支持面４４６１Ｂ１，５４６１Ｂ１に膨出部を形成する構成を採用してもよい。
前記第１実施形態および前記第２実施形態では、第１台座４４６１，５４６１に接着剤溜り用の凹部としての複数の孔４４６１Ｂ２，５４６１Ｂ４が第１支持面４４６１Ｂ１，５４６１Ｂ１を貫通するように形成されていたが、これに限らない。接着剤溜り用の凹部としては、例えば、第１支持面４４６１Ｂ１，５４６１Ｂ１の厚み方向に窪む凹部として構成してもよく、第１台座４４６１，５４６１の光束入射側の端部（図４、６中、−Ｚ軸方向端部）に切り欠きを形成する構成としてもよい。
【００６６】
前記第１実施形態および前記第２実施形態において、第１台座４４６１，５４６１および第２台座４４６２，５４６２のうちいずれか一方の台座をフランジ部４４５２に一体的に形成する構成を採用してもよい。
このような構成では、いずれか一方の台座がフランジ部４４５２に一体的に形成されるので、前記一方の台座による投射レンズ４４５に対する電気光学装置４４０Ｂの支持状態を良好に維持でき、他方の台座とともに外部から電気光学装置４４０Ｂに加わる力をさらに一層抑制し、画素ずれのない鮮明な光学像を拡大投射できる。また、前記一方の台座をフランジ部４４５２に一体的に形成することで、投射レンズ４４５および電気光学装置４４０Ｂを一体化する部品点数を削減できる。このため、投射レンズ４４５および電気光学装置４４０Ｂを一体化する組立作業を容易に実施でき、リアプロジェクタ１を製造するにあたって、製造コストをさらに低減できる。
【００６７】
前記各実施形態では、３つの光変調装置４４１を用いたリアプロジェクタ１の例のみを挙げたが、本発明は、２つの光変調装置を用いたリアプロジェクタ、あるいは、４つ以上の光変調装置を用いたリアプロジェクタにも適用可能である。
前記各実施形態では、スクリーンを観察する方向とは反対側から投射を行うリアタイプのプロジェクタの例のみを挙げたが、スクリーンを観察する方向から投射を行うフロントタイプのプロジェクタにも適用可能である。
【００６８】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００６９】
本発明のプロジェクタは、製造コストの低減を図りつつ、電気光学装置および投射光学装置を一体化でき、外部から電気光学装置に加わる力を抑制して複数の光変調装置の相互の位置ずれを抑制できるため、ホームシアター等に用いられるリアプロジェクタとして有用である。
【図面の簡単な説明】
【００７０】
【図１】第１実施形態に係るリアプロジェクタの側面からの断面図。
【図２】前記実施形態におけるリアプロジェクタに組み込まれる光学ユニットを模式的に示す平面図。
【図３】前記実施形態における光学装置本体の構成を示す図。
【図４】前記実施形態における光学装置本体の構成を示す図。
【図５】前記実施形態における光学装置本体を図３および図４中、＋Ｚ軸方向から見た図。
【図６】第２実施形態における光学装置本体の構造を示す分解斜視図。
【図７】第３実施形態における光学装置本体の構造を示す分解斜視図。
【符号の説明】
【００７１】
１・・・リアプロジェクタ、２・・・透過型スクリーン、５・・・外装筐体、４１１・・・光源装置、４４０Ｂ・・・電気光学装置、４４１・・・光変調装置、４４４・・・クロスダイクロイックプリズム（色合成光学装置）、４４５・・・投射レンズ（投射光学装置）、４４５１・・・鏡筒、４４５２・・・フランジ部、４４５２Ｄ，５４６１Ｂ５・・・トラック孔、４４６１，５４６１，６４６１・・・第１台座、４４６１Ａ１，４４６２Ａ１，５４６１Ｂ２，５４６２Ａ１・・・第２支持面、４４６１Ｂ１，４４６２Ｂ１，５４６１Ｂ１，５４６２Ｂ１・・・第１支持面、４４６１Ｂ２，５４６１Ｂ４・・・孔（接着剤溜り用の凹部）４４６２，５４６２，６４６１・・・第２台座、４４６２Ｂ２，５４６２Ｂ２，６４６１Ａ４・・・膨出部、４４６２Ｂ３，５４６２Ｂ３，６４６１Ａ５・・・接着剤溜り用の凹部、５４６２Ａ・・・フランジ接続部。
【図１】
2006106410.tif 000003
【図２】
2006106410.tif 000004
【図３】
2006106410.tif 000005
【図４】
2006106410.tif 000006
【図５】
2006106410.tif 000007
【図６】
2006106410.tif 000008
【図７】
2006106410.tif 000009
【手続補正書】
【提出日】平成17年10月13日(2005.10.13)
【手続補正１】
【補正対象書類名】明細書
【補正対象項目名】００２０
【補正方法】変更
【補正の内容】
【００２０】
光学装置４４は、色分離光学系４２から射出される３つの色光を画像情報に応じてそれぞれ変調し、変調した各色光を合成してカラー画像を形成して拡大投射する。この光学装置４４は、図２に示すように、液晶パネル４４１１（図４参照）を有する３つの光変調装置４４１と、これら光変調装置４４１の光束入射側および光束射出側にそれぞれ配置される入射側偏光板４４２および射出側偏光板４４３と、色合成光学装置としてのクロスダイクロイックプリズム４４４と、投射光学装置としての投射レンズ４４５とを備える。そして、これらのうち、３つの光変調装置４４１、３つの射出側偏光板４４３、クロスダイクロイックプリズム４４４、および投射レンズ４４５が一体化されて、光学装置本体４４０Ａ（図３参照）を構成する。この光学装置本体４４０Ａの詳細な構成については、後述する。なお、光学装置本体４４０Ａにおいて、３つの光変調装置４４１、３つの射出側偏光板４４３、およびクロスダイクロイックプリズム４４４の他、３つの入射側偏光板４４２も一体化する構成を採用してもよい。
【手続補正２】
【補正対象書類名】明細書
【補正対象項目名】００４２
【補正方法】変更
【補正の内容】
【００４２】
そして、光学部品用筐体４５の図示しない位置決め用孔にフランジ部４４５２の位置決め用突起４４５２Ｂを嵌合させ、４つのねじ４５３（図２では、２つのみのねじ４５３を図示している）をフランジ部４４５２の固定用孔４４５２Ａにそれぞれ挿通して光学部品用筐体４５のねじ孔４５２Ｂに螺合することで、光学装置本体４４０Ａが光学部品用筐体４５に固定される。
【手続補正３】
【補正対象書類名】明細書
【補正対象項目名】００５５
【補正方法】変更
【補正の内容】
【００５５】
また、本実施形態のフランジ部４４５２は、図６に示すように、４つの固定用孔４４５２Ａおよび２つの位置決め用突起４４５２Ｂの他、第２台座５４６２を構成するフランジ接続部５４６２Ａの４つの固定用孔５４６２Ａ３に対応した４つのねじ孔４４５２Ｇを有する。すなわち、前記第１実施形態で説明した位置決め用孔４４５２Ｃ，４４５２Ｅ、および固定用孔４４５２Ｄ，４４５２Ｆが省略されている。
【手続補正４】
【補正対象書類名】図面
【補正対象項目名】図２
【補正方法】変更
【補正の内容】
【図２】
2006106410.tif 000010